(57)【特許請求の範囲】
【請求項１】
筆記部を形成したペン体を、軸筒の先端部に配している筆記具において、
前記ペン体は、筆記に伴い軸筒に加えられる力により、その筆記部全体が筆記面に接触するように傾動自在に支持され、
インキ吸蔵体が軸筒内に収納され、かつ、そのインキ吸蔵体に吸蔵されているインキを筆記部に誘導するインキ誘導部がペン体に形成されているとともに、そのインキ誘導部をインキ吸蔵体に挿入しており、
上記インキ吸蔵体に、これに挿入されたインキ誘導部の傾動を許容する傾動許容溝を形成していることを特徴とする筆記具。
【請求項２】
筆記に伴い軸筒に加えられる力により、ペン体の傾動中心に生じる、筆記部を筆記面に接触させようとする力が、そのペン体の傾動中心と筆記部の両端を通る２つの直線のなす角度範囲内に生じるように、筆記部とペン体の傾動中心とを配置していることを特徴とする請求項１に記載の筆記具。
【請求項３】
ペン体の傾動中心と筆記部との距離を、その筆記部の長さとほぼ等しいか又はその長さよりも短く設定したことを特徴とする請求項２に記載の筆記具。
【請求項４】
ペン体の傾動中心を、軸筒の中心軸線から離間して位置させたことを特徴とする請求項２または３に記載の筆記具。
【請求項５】
インキ誘導部の傾動方向に、インキ吸蔵体の傾動許容溝を一致させるための位置決め機構を設けたことを特徴とする請求項１〜４のいずれかに記載の筆記具。
【請求項６】
位置決め機構は、インキ吸蔵体に突設されたリブと、軸筒内に形成されたリブ嵌合溝とからなることを特徴とする請求項５に記載の筆記具。
【請求項７】
インキ吸蔵体は、インキを吸蔵する中綿の外周面に外装材を嵌装してなるものであり、その外装材にリブを形成していることを特徴とする請求項６に記載の筆記具。
【請求項８】
ペン体は、軸筒に対しペン体支持部材を介して軸支されていることを特徴とする請求項１〜７のいずれかに記載の筆記具。
【請求項９】
ペン体の傾斜角度を規制する傾斜角度規制機構が設けられていることを特徴とする請求項１〜８のいずれかに記載の筆記具。
【請求項１０】
傾斜角度規制機構は、ペン体支持部材に形成された、ペン体の傾斜角度を規制するためのガイド孔と、軸筒側に形成された、ガイド孔に挿入される傾動規制ピンである規制部材により構成されていることを特徴とする請求項９に記載の筆記具。
【発明の詳細な説明】
【技術分野】
【０００１】
本発明は、蛍光マーカ、アンダーラインペン、マーキングペン、ホワイトボードマーカ、ペイントマーカ、油性マーカ、水性マーカ等の各種の筆記具に関する。
【背景技術】
【０００２】
図２９（ａ），（ｂ），（ｃ）は、従来の筆記具によって紙面に筆記する場合の説明図、図３０（ａ），（ｂ）は、従来の筆記具によってホワイトボードに筆記する場合の説明図、図３１（ａ），（ｂ）は、従来の筆記具によってホワイトボードに筆記する場合の説明図、図３２は、一例に係る従来の筆記具の要部拡大図である。
【０００３】
従来、蛍光インキを用いた蛍光マーカ、アンダーライン、マーキングペン等と呼ばれる筆記具においては、幅広の線を描くため、角芯，チゼル芯，ナイフカット状ペン先等と呼称される、筆記面に線接触する幅広形状の筆記部１ａを形成したペン体１が用いられている。
【０００４】
上記した蛍光マーカ等と呼称されている筆記具は、紙面（筆記面）Ｓに対し軸筒（図示しない）を一定の角度となるように保持しながら筆記することで、図２９（ａ）に示すように、一定幅の描線２を筆記するようにしている。
【０００５】
しかし、上記従来の筆記具において、紙面Ｓと筆記部１ａとが平行でなければ、換言すると、筆記部１ａ全体を紙面Ｓに接触させないと、同図（ｂ），（ｃ）に示すような、幅の一定しない不規則な描線２ｂ，２ｃとなって一定幅の描線を得られないため、筆記している間、筆記部１ａと紙面Ｓとの角度に留意しなければならないという煩わしさがある。
【０００６】
また、図３０（ａ），（ｂ）に示すように、ホワイトボード３等の垂直な筆記面（ボード面）３ａに筆記するためのホワイトボードマーカ等の筆記具４は、筆記面３ａとペン体５の筆記部５ａとを平行に保つことが難しい。
特に、同図（ａ）に示すように、筆記面３ａの高い位置に筆記する場合と、同図（ｂ）に示す低い位置に筆記する場合とでは、上記した筆記具４の傾斜角度を一定に保つために、筆記する高さに応じてその筆記具４の持ち方を変える等の工夫が必要になる。
【０００７】
さらに、図３１（ａ），（ｂ）に示すように、サイズの大きな筆記用紙６に描画することを目的としたポスターカーラやペイントマーカ等の筆記具７においては、描画している途中において、その筆記具７の角度が大きく変動してしまい、描線の幅を一定に保てないという上記した各筆記具と同様の課題がある。
【０００８】
ところで、油性マーカや水性マーカのようにすばやく筆記することを目的とした筆記具では、乱雑に筆記されることが多く、このため描画幅が一定でなく、これに起因して筆記した文言が非常に読みにくくなる。さらには、段ボールやビニール袋等の被筆記物に筆記する場合、それらの被筆記物の筆記面が不規則に凹凸していることが多いために、その筆記面の角度が不時に変化して線幅を一定にすることが難しく、筆記した文章が判読しにくいという課題がある。
【０００９】
上記した筆記部の角度を変更できるようにした筆記具として、例えば実開平４−５４８８７号公報（以下「特許文献１」という）や実開昭６３−１５６７９０号公報（以下「特許文献２」という）に開示されているものがある。
まず、特許文献１に記載された筆記具は、筆記チップと、この筆記チップに連設するレフィールと、筆記チップを保持し出没させる口金と、軸筒とからなるものであり、その軸筒の先端部に口金の後端一側部をピンで軸支するとともに、口金の後端他側部を揺動可能として口金の軸線と軸筒の軸線の角度が変化できるように構成されているものである。
【００１０】
また、特許文献２に記載された筆記具３００は、図３２に示すように、外軸３０４の先端に誘導芯押さえ３０３の基端部を挿入固定しているとともに、その誘導芯押さえ３０３の先端部に形成した回転中心凹部３０１に、誘導芯３０２を挿入したチップ３０５を取り付けたチップ押え３０６の回転中心凸起３０６ａを揺動可能に嵌合支持させた構成のものである。
【特許文献１】実開平０４−０５４８８７号公報
【特許文献２】実開昭６３−１５６７９０号公報
【発明の開示】
【発明が解決しようとする課題】
【００１１】
しかしながら、特許文献１に記載されている筆記具では、筆記部を一定の角度にすることはできるものの、筆記面の角度の変化に追随させられず、描線の幅を一定に保つことができないものであり、このため、上記した従来の各筆記具と同じく、筆記面の角度に合わせて軸筒の保持角度を頻繁に調整しなければならないという欠点がある。
【００１２】
また、特許文献２に記載された筆記具３００では、図３２に示すように、チップ押え３０６の回転中心凸起３０６ａの傾動中心Ｏ１から筆記部３０５ａにおろした垂線の長さＨ１が、その筆記部３０５ａの長さＬ２よりも長いために、外筒３０４の保持角度に追従できる角度範囲が狭いという欠点がある。
【００１３】
追従できる角度範囲は、傾動中心Ｏ１と筆記部３０５ａの両端３０５ａ′，３０５ａ″を通る２つの直線Ｉ，ＩＩを最大傾斜限界角度とした角度範囲内であり、これよりも紙面若しくは筆記具３００が傾斜したとき、チップ３０５の筆記部３０５ａ全体を筆記面に密着させることができず、また、筆記部３０５ａは、筆記面から逃げる方向（離間する方向）に傾動してしまう。
すなわち、当該特許文献２に記載された筆記具は、筆記部３０５ａの手前側端面に引いた直線ＩＩが、チップ３０５の最大傾斜限界角度範囲の外側になっているのである。
【００１４】
これは、筆記部３０５ａを予め筆記面と平行に保ったまま接触させても、チップ３０５が傾動して、その筆記部３０５ａが筆記面から離れてしまうことを意味している。すなわち、上記特許文献２に記載された筆記具では、チップ３０５の筆記部３０５ａを筆記面に密着させることが困難である。
【００１５】
そこで本発明は、軸筒の持ち方や保持角度に関わりなく、一定幅の描線を容易に描くことができるとともに、筆記部を筆記面に密着させられる傾斜角度範囲を広くすることができる筆記具の提供を目的としている。
【課題を解決するための手段】
【００１６】
上述した課題を解決するための本発明に係る筆記具の構成は、下記のように各請求項に記載したとおりである。
請求項１に記載した筆記具は、筆記部を形成したペン体を、軸筒の先端部に配している筆記具において、前記ペン体は、筆記に伴い軸筒に加えられる力により、その筆記部全体が筆記面に接触するように傾動自在に支持され、インキ吸蔵体が軸筒内に収納され、かつ、そのインキ吸蔵体に吸蔵されているインキを筆記部に誘導するインキ誘導部がペン体に形成されているとともに、そのインキ誘導部をインキ吸蔵体に挿入しており、上記インキ吸蔵体に、これに挿入されたインキ誘導部の傾動を許容する傾動許容溝を形成していることを特徴としている。
【００１７】
請求項２に記載の筆記具は、請求項１に記載した構成において、筆記に伴い軸筒に加えられる力により、ペン体の傾動中心に生じる、筆記部を筆記面に接触させようとする力が、そのペン体の傾動中心と筆記部の両端を通る２つの直線のなす角度範囲内に生じるように、筆記部とペン体の傾動中心とを配置している。
【００１９】
請求項３に記載の筆記具は、請求項２に記載したペン体の傾動中心と筆記部との距離を、その筆記部の長さとほぼ等しいか又はその長さよりも短く設定している。
【００２０】
請求項４に記載の筆記具は、請求項２または３に記載したペン体の傾動中心を、軸筒の中心軸線から離間して位置させている。
【００２２】
請求項５に記載の筆記具は、請求項１〜４のいずれかに記載したインキ誘導部の傾動方向に、インキ吸蔵体の傾動許容溝を一致させるための位置決め機構を設けたものである。
【００２３】
請求項６に記載の筆記具は、請求項５に記載した位置決め機構は、インキ吸蔵体に突設されたリブと、軸筒内に形成されたリブ嵌合溝とからなる。
【００２４】
請求項７に記載の筆記具は、請求項６に記載したインキ吸蔵体は、インキを吸蔵する中綿の外周面に外装材を嵌装してなるものであり、その外装材にリブを形成している。
【００２５】
請求項８に記載の筆記具は、請求項１〜７のいずれかに記載のペン体が、軸筒に対しペン体支持部材を介して軸支されている。
【００２６】
請求項９に記載の筆記具は、請求項１〜８のいずれかに記載の構成において、ペン体の傾斜角度を規制する傾斜角度規制機構が設けられている。
【００２７】
請求項１０に記載の筆記具は、請求項９に記載した傾斜角度規制機構は、ペン体支持部材に形成された、ペン体の傾斜角度を規制するためのガイド孔と、軸筒側に形成された、ガイド孔に挿入される傾動規制ピンである規制部材により構成されている。
【発明の効果】
【００２９】
請求項１〜１０に記載した発明によれば、筆記に伴い軸筒に加えられる力により、ペン体が、これの筆記部全体が筆記面に接触するように傾動するので、軸筒の持ち方や保持角度に関わりなく、一定幅の描線を容易に描くことができる。
また、インキ吸蔵体に、これに挿入されたペン体のインキ誘導部の傾動を許容する傾動許容溝を形成しているので、ペン体の傾動を容易に行なわせることができる。
【００３０】
請求項１〜１０に記載の発明で得られる上記共通の効果に加え、各請求項に記載した発明によれば次の各効果を得ることができる。
請求項２に記載した発明によれば、筆記部とペン体の傾動中心の配置関係を調整するだけで、ペン体の傾動中心に生じる、筆記部を筆記面に接触させようとする力を、そのペン体の傾動中心と筆記部の両端を通る２つの直線のなす角度範囲内に容易に生じさせられる。
【００３２】
請求項３に記載した発明によれば、請求項２に記載のペン体の傾動中心と筆記部との距離を、その筆記部の長さよりも短く設定しているので、ペン体の筆記部を筆記面に接触させようとする力が生じるペン体の傾斜角度範囲を容易に広げることかできる。
【００３３】
請求項４に記載した発明によれば、請求項２または３に記載したペン体の傾動中心を、軸筒の中心軸線から離間して位置させているので、筆記面に対するペン体の傾斜角度範囲を変化させることができる。
【００３５】
請求項５に記載した発明によれば、請求項４に記載に記載したインキ誘導部の傾動方向に、インキ吸蔵体の傾動許容溝を一致させるための位置決め機構を設けているので、軸筒に対するインキ吸蔵体の位置決めを行う必要がない。
【００３６】
請求項６に記載した発明によれば、請求項５に記載した位置決め機構を、インキ吸蔵体に突設されたリブと、軸筒内に形成されたリブ嵌合溝とから構成しているので、簡易な構造にすることができる。
また、傾動許容溝をインキ吸蔵体に形成する際に、そのリブを保持して安定した状態での加工を行うことができる。
【００３７】
請求項７に記載の発明によれば、請求項６に記載したインキ吸蔵体が、インキを吸蔵する中綿の外周面に外装材を嵌装してなるものであり、その外装材にリブを形成しているので、そのリブの形成を容易に行うことができる。
【００３８】
請求項８に記載の発明によれば、請求項１〜７のいずれかに記載したペン体が、軸筒に対しペン体支持部材を介して軸支されているので、簡易な構造にすることができるとともに、機械的な強度を容易に確保しやすく、ペン体をしっかりと支持させられる。
【００３９】
請求項９に記載の発明によれば、請求項１〜８のいずれかに記載したペン体の傾斜角度を規制できる。
【００４０】
請求項１０に記載の発明によれば、請求項９に記載した傾斜角度規制機構が、ペン体支持部材に形成された、ペン体の傾斜角度を規制するためのガイド孔と、軸筒側に形成された、ガイド孔に挿入される傾動規制ピンである規制部材により構成されているので、簡易な構成で、機械的な強度を確保しながら、ペン体の傾斜角度の範囲を確実に規制することができる。
また、それらの規制部材を、ペン体支持部材と軸筒に形成しているので、機械的強度を確保しやすく、加工も容易である。
【発明を実施するための最良の形態】
【００４２】
本発明を実施するための最良の形態について、図面を参照して説明する。図１は、本発明の第１の実施形態に係る筆記具の正面図、図２は、その側断面図、図３はペン体を拡大して示しており、（ａ）はその正面図、（ｂ）はその側面図である。
【００４３】
第１の実施形態に係る筆記具Ａは、インキ吸蔵体１０を収容した筆記具本体（以下「軸筒」という。）１１の先端部にペン体１２を配し、かつ、その軸筒１１の基端部に尾栓１３を固定してなるものである。
軸筒１１は円筒形に形成された軸筒本体部１１ｅの先端部に、ペン体１２を傾動自在に支持するための支持筒部１１ａを一体に形成したものである。
【００４４】
インキ吸蔵体１０は軸筒本体部１１ｅ内に収容されており、それは、一定の外径にした円柱形の中綿１０ａの外周面に、フィルム様の外装材１０ｂを嵌装してなるものであり、尾栓１３の至近位置から支持筒部１１ａの至近位置に至る長さに形成されている。
本実施形態において「インキ」とは、蛍光インキ，ホワイトボードマーカーインキ等の公知の成分からなるインキを含むものである。
【００４５】
支持筒部１１ａは、上記した軸筒１１の先端部を所要の長さ範囲に亙り、軸筒本体１１ｅよりも細径にして一体に形成された本体１１ｂの先部（図示下部）に、一対の支持片１１ｃ，１１ｃをペン体１２の厚みｔよりもやや広い間隔ｔ′にして形成してなるものである。
支持片１１ｃ，１１ｃは所要厚みの略正方形の板状体であり、互いの対向する位置に、側面視において軸筒１１の中心軸線Ｏ３に一致する支持孔１１ｄ，１１ｄが形成されている。
【００４６】
支持片１１ｃ，１１ｃの上記間隔ｔ′は、筆記に伴って軸筒１１に加えられる力により、ペン体１２の傾動を許容できる間隔にすればよく、例えば支持片１１ｃ，１１ｃの間隔ｔ′をペン体１２の厚みｔに一致させてもよい。
「ペン体１２の傾動を許容できる間隔」は、ペン体１２を傾動自在に支持することを意味している。
「傾動」とは傾き動くことをいい、また、「傾動自在」は「揺動自在」，「回動自在」若しくは「回転自在」と言い換えることができる。すなわち、本実施形態において、「傾動」，「揺動」，「回動」若しくは「回転」はほぼ同義である。また、「傾動自在」を「傾動可能」と言い換えることもできる。
【００４７】
図３（ａ）に示すように、ペン体１２は、正面視において一定の厚みｔにして形成されており、これの基端側半部（図示上側半部）に基端側インキ誘導部１４を、また、先端側半部（図示下側半部）に先端側インキ誘導部１５が一体に形成されている。
【００４８】
基端側インキ誘導部１４は、同図（ｂ）に示すように、インキ吸蔵体１０の先端部内に挿入できる長さにした中空の直方体形に形成されている。
この基端側インキ誘導部１４をインキ吸蔵体１０の先端部内に挿入していることにより、前記したインキ吸蔵体１０に吸蔵されているインキを先端側インキ誘導部１５に誘導できるようにしているとともに、ペン体１２の傾斜角度を規制するようになっている。
すなわち、ペン体１２の傾斜角度を規制する傾斜角度規制機構Ｋ１（図２に示している）は、基端側インキ誘導部１４をインキ吸蔵体１０の先端部内に挿入することにより構成されている。
【００４９】
先端側インキ誘導部１５は、互いに離間して配置された上下枠材１５ａ，１５ｂの両端部間に縦枠材１５ｃ，１５ｄを連結してなる側面視において略方形の枠体であり、この枠体内に、ペン体支持部材１６を嵌合している。
【００５０】
本実施形態において下枠材１５ｂが筆記部であり、側面視において、基端側インキ誘導部１４の中心軸線Ｏ４と所定の角度θをもって傾斜して形成されており、その下枠材（筆記部）１５ｂが紙面等の筆記面Ｓに接触する。
下枠材（筆記部）１５ｂは、描線の幅に応じた長さＬ２にして形成されており、その長さＬ２を長短調整することにより、描線の幅を任意に設定できる。
【００５１】
上述した基端側インキ誘導部１４と、下枠材（筆記部）１５ｂを含む先端側インキ誘導部１５は、スポンジ等の高分子発泡体で形成されているが、この他、浸透印等に用いられる多孔質のゴム体，不織布，フェルト，繊維束を樹脂で固化したもので形成することができる。
【００５２】
ペン体支持部材１６は、基端側インキ誘導部１４及び先端側インキ誘導部１５の厚みとほぼ同じ厚みにした本体１６ａの両側面に、円柱形の軸１６ｂ，１６ｂを軸線Ｏ１を含みかつペン体１２が傾動する平面と直交する軸線（以下、傾動中心ともいう）Ｏ２に一致して形成されている。
ペン体支持部材１６は、本実施形態においては合成樹脂により成形されており、これにより、軸筒１１に取り付けるのに必要な機械的な強度を保持させている。
なお、ペン体支持部材１６は、高分子発泡体、多孔質のゴム体等の多孔質部材及び合成樹脂により形成することに限るものではなく、例えば金属，ガラス，セラミック等の材料で形成してもよい。
【００５３】
前述した構成からなる筆記具Ａは、ペン体１２を、筆記に伴い軸筒１１に加えられる力により、筆記部（下枠材）１５ｂ全体が筆記面Ｓに接触するように傾動自在に支持している。
【００５４】
ペン体１２の筆記部（下枠材）１５ｂを筆記面Ｓに接触させようとする力が生じるペン体１２の傾斜角度範囲が広くなるように、本実施形態においては、その筆記部（下枠材）１５ｂとペン体１２の傾動中心（軸１６ｂ，１６ｂの軸心）Ｏ２との配置関係及びそれらの距離を次のように設定している。
【００５５】
まず、筆記部（下枠材）１５ｂとペン体１２の傾動中心Ｏ２との配置関係は、  筆記に伴い軸筒１１に加えられる力により、ペン体１２の傾動中心Ｏ２に生じる、筆記部１５ｂを筆記面Ｓに接触させようとする力が、そのペン体１２の傾動中心Ｏ２と筆記部１５ｂの両端を通る２つの直線Ｍ１，Ｍ２のなす角度範囲α内に生じるように、筆記部１５ｂとペン体１２の傾動中心Ｏ２とを配置している。
【００５６】
上記した配置関係において、傾動中心Ｏ２は、これを下枠材（筆記部）１５ｂに接近させるほど、ペン体１２の傾斜角度範囲を広くすることができる。
すなわち、傾動中心Ｏ２に生じる、筆記部１５ｂを筆記面Ｓに接触させようとする力が、図３（ｂ）において、傾動中心Ｏ２と下枠材（筆記部）１５ｂの両端を通る２本の直線Ｍ１，Ｍ２で区画される角度範囲α内にあるときに、そのペン体１２の下枠材（筆記部）１５ｂ全体を筆記面Ｓに接触させようとする力が生じるのであり、その角度範囲αは、下枠材（筆記部）１５ｂと傾動中心Ｏ２との距離が遠ざかるのに従って狭くなる。
【００５７】
本実施形態においては、上記した下枠材（筆記部）１５ｂの長さＬ２を約５（ｍｍ）、下枠材（筆記部）１５ｂから傾動中心Ｏ２までの距離Ｈ１を約３（ｍｍ）にしている。
すなわち、ペン体１２の傾動中心Ｏ２と筆記部１５ｂとの距離Ｈ１を、その筆記部１５ｂの長さＬ２よりも短く設定しているのである。
また、本実施形態においては、長さＬ２を約５（ｍｍ）、距離Ｈ１を約３（ｍｍ）としているが、これらの数値に限定する趣旨ではなく、例えば長さＬ２：距離Ｈ１を、ほぼ５：３の比率にしてもよい。このような比率にすることにより、必要な傾斜角度範囲を確保できる。
【００５８】
なお、「約５（ｍｍ）」や「約３（ｍｍ）」等の「約」とは、例えばペン体１２を形成している材質の変形等の範囲を含む意味であり、従って、それら材質等に従って変動するものである。
【００５９】
ところで、上述した基端側，先端側インキ誘導部１４，１５は、スポンジ等の高分子発泡体で形成されており、この他に、浸透印等に用いられる多孔質のゴム体，不織布，フェルト，繊維束を樹脂で固めたもので形成することができることについて説明したが、例えば金属，セラミック，高分子の焼結体等の多孔質部材から構成することができる。このような多孔質部材によりペン体１２を形成した場合、嵌着，接着剤による接着，溶着等によりペン体支持部材１６の外周面に被着するとよい。
なお、基端側インキ誘導部１４の被着力をさらに強化して確実にするため、ペン体支持部材１６の外周面に嵌合溝を形成してもよい。
【００６０】
次に、上記した第１の実施形態に係る筆記具Ａを用いて筆記する場合のペン体１２の傾動について、図４を参照して説明する。図４はペン体を傾斜させた状態を示す説明図であり、（ａ）はペン体を一方に傾斜させた状態、また、（ｂ）は他方に傾斜させた状態を示している。
【００６１】
図４（ａ）に示すように、ペン体１２が下枠材（筆記部）１５ｂの一端１５ｂ′を筆記面Ｓに接触させ、かつ、他端１５ｂ″を当該筆記面Ｓから離間させた傾斜姿勢にしているとき、傾動中心Ｏ２に生じる、筆記部１５ｂを筆記面Ｓに接触させようとする力Ｆにより、そのペン体１２には、傾動中心Ｏ２を中心とした紙面反時計回りの回転モーメントが生じる。
【００６２】
この回転モーメントにより、ペン体１２は、下枠材（筆記部）１５ｂ全体が筆記面Ｓに当接するように、換言すると、下枠材（筆記部）１５ｂの他端１５ｂ″が筆記面Ｓに接近するように傾動する。具体的には、（イ）で示す傾斜姿勢から（ロ）で示す傾斜姿勢に傾動する。
【００６３】
図４（ｂ）に示すように、ペン体１２が下枠材（筆記部）１５ｂの他端１５ｂ″を接触して一端１５ｂ′を筆記面Ｓから離間させた傾斜姿勢にしているとき、傾動中心Ｏ２に生じる、筆記部１５ｂを筆記面Ｓに接触させようとする力Ｆにより、そのペン体１２には、傾動中心Ｏ２を中心とした紙面時計回りの回転モーメントが生じる。
【００６４】
この回転モーメントにより、ペン体１２は、下枠材（筆記部）１５ｂ全体が筆記面Ｓに接触するように、換言すると、下枠材（筆記部）１５ｂの一端１５ｂ′が筆記面Ｓに接近するように傾動する。具体的には、（ハ）で示す傾斜姿勢から（ニ）で示す傾斜姿勢に傾動する。
このように、本実施形態に係る筆記具Ａによれば、筆記に伴って、筆記面Ｓに下枠材（筆記部）１５ｂ全体が接触するように傾動するので、軸筒１１の持ち方や保持角度に関わりなく、一定幅の描線を容易に描くことができる。従って、軸筒１１等の保持姿勢を気にする必要はない。
【００６５】
また、ペン体の筆記部全体を筆記面に接触させようとする力が生じるペン体の傾斜角度範囲が広くなるように、筆記部とペン体の傾動中心との距離を近接させて配置しているので、筆記部１５ｂを筆記面Ｓに密着させられる角度範囲αを広くすることができる。
【００６６】
次に、本発明の第２の実施形態に係る筆記具Ｂについて、図５を参照して説明する。図５は、本発明の第２の実施形態に係る筆記具Ｂの正断面図である。なお、本実施形態において、前記した第１の実施形態に係る筆記具Ａにおいて説明したものと同等のものについては、同一の符号を付してそれらの詳細な説明を省略する。
本実施形態に係る筆記具Ｂは、インキ室２０ａを内部に形成した軸筒２０の先端部にペン体２１を配したものである。
【００６７】
軸筒２０は、先端を開口した略円筒形の軸筒本体２０ｃの先端部に、後述する支持筒部体２２を嵌合する嵌合部２０ｂが細径にして形成されているものである。
嵌合部２０ｂには、軸筒２０内のインキ室２０ａとペン体２１とを液密的に仕切る弁機構２３が設けられている。
弁機構２３は、円筒形の弁座部材２４ｂを先端内側に嵌合した支持筒２４、弁棒２５、及びコイルスプリング２６を有して構成されている。
支持筒２４は、先端側から基端側に向けて次第に細径にしかつ基端側寄りにインキ流通口２４ａ，２４ａを形成してなるものである。
【００６８】
弁棒２５は、インキ室２０ａからペン体２１に供給されるインキの流通を阻止する弁部２５ａを軸２５ｂの略中央部分に形成したものである。
弁部２５ａは、支持筒２４に嵌合されている上記の弁座部材２４ｂの基端側開口２４ｂ′に当接するように膨出させて形成されている。
【００６９】
コイルスプリング２６は弁棒２５に嵌挿されており、これの一端部が支持筒２４の内壁面に当接しかつ他端部が弁部２５ａに当接しており、これにより、弁部２５ａと弁座部材２４ｂとが当接する方向に当該弁棒２５を常時付勢するようになっている。
【００７０】
支持筒部体２２は、上記した嵌合部２０ｂに嵌合する嵌合部２２ａを基端側半部（図示上側半部）に形成されかつ先端側半部（図示下側半部）にペン体２１を傾動可能に支持するペン体支持部２２ｂを一体に形成しているものである。
【００７１】
ペン体支持部２２ｂは、嵌合部２２ｂの先端部（図示下部）に、一対の支持片２２ｃ，２２ｃをペン体２１の厚みよりもやや広い間隔に形成してなるものである。
支持片２２ｃ，２２ｃは所要厚みの略正方形の板状体であり、互いの対向する位置に、弁棒２５の移動方向αに細長い縦長の支持孔２２ｄ，２２ｄが形成されている。支持孔２２ｄ，２２ｄを縦長にすることにより、ペン体２１を弁棒２５の移動方向で移動させることができ、これにより、当該弁棒２５をコイルスプリング２６の弾性力に抗して移動させられるようになっている。
【００７２】
この筆記具Ｂは、前述したペン体１２と同様に、ペン体２１を、筆記に伴い軸筒２０に加えられる力により、筆記部（下枠材）１５ｂ全体が筆記面Ｓ（図５には示していない）に接触するように傾動自在に支持している。
【００７３】
ペン体２１は、正面視において一定の厚みにして形成されており、これの基端側半部（図示上側半部）に基端側インキ誘導部２７を、また、先端側半部（図示下側半部）に前述したものと同等の先端側インキ誘導部１５が一体に形成されている。
このペン体２１は、前述したペン体１２と同等の構成及び材質からなるものであるが、基端側インキ誘導部２７の後端面（図示上端面）２７ａが、上記した弁棒２５の先端面（図示下端面）２５ｃに当接する長さにしている点で前記したペン体１２と異なっている。なお、１６は前述したペン体支持部材である。
【００７４】
本実施形態におけるペン体２１は、これの筆記部（下枠材）１５ｂ全体を筆記面Ｓに接触させようとする力が生じる当該ペン体２１の傾斜角度範囲が広くなるように、その筆記部（下枠材）１５ｂとペン体２１の傾動中心Ｏ２との距離を設定している。
本実施形態においては、ペン体２１の下枠材（筆記部）１５ｂの長さＬ２と、この下枠材（筆記部）１５ｂから傾動中心Ｏ２までの距離Ｈ１をほぼ同じにしているが、ペン体２１の傾動中心Ｏ２と筆記部１５ｂとの距離Ｈ１を、その筆記部１５ｂの長さＬ２よりも短く設定してよいことは勿論である。
【００７５】
支持筒部体２２内には、嵌挿孔２８ａを形成した円筒形のインキ誘導部材２８が収容されている。嵌挿孔２８ａは、これに基端側インキ誘導部２７の開放端部が嵌挿されており、その基端側インキ誘導部２７の傾斜を許容するように弾性的に変形可能になっている。換言すると、インキ誘導部２７の弾性変形によってペン体２１の傾斜角度を規制しているのである。
すなわち、本実施形態においては、基端側インキ誘導部２７とインキ誘導部材２８とにより、ペン体２１の傾斜角度を規制する傾斜角度規制機構Ｋ２を構成している。
【００７６】
なお、インキ誘導部材２８は、必要に応じて設ければよいものである。また、インキが高粘度であったり、その成分が沈降しやすい場合には、インキ室２０ａ内にインキを攪拌するための攪拌ボール（図示しない）を収容した構成にしてもよい。
【００７７】
次に、本発明の第３の実施形態に係る筆記具Ｃについて、図６，７を参照して説明する。図６，７は、本発明の第３の実施形態に係る筆記具Ｃの側断面図であり、図６は、弁棒をペン体から離間させた状態を示し、また、図７はその弁棒をペン体に接触させた状態を示している。なお、本実施形態においても、前記した第１，第２の実施形態に係る筆記具Ａ，Ｂにおいて説明したものと同等のものについては、同一の符号を付してそれらの詳細な説明を省略する。
【００７８】
本実施形態に係る筆記具Ｃは、インキ室３０ａを内部に形成した軸筒３０の先端部に前記したものと同等のペン体２１を、また、基端部内側に尾栓３１を配しているものである。
軸筒３０は円筒形に形成された軸筒本体部３０ｆの先端部に、ペン体２１を傾動自在に支持するためのペン体支持部３０ｂを一体に形成したものである。
なお、３２は、後述するペン体支持部３０ｂに嵌装することにより、ペン体２１をシールするキャップである。また、図６においては筆記具Ｃを上下逆向きに示しているので、図１〜５と異なり「基端側」が図示下側、「先端側」が図示上側になっている。
【００７９】
尾栓３１は、上記のキャップ３２を嵌装する円筒形の嵌装部３１ａを形成した有底円筒形に形成されており、詳細を後述する弁棒３６の基端部に固定されている。
【００８０】
軸筒３０は略円筒形に形成されており、これの先端部には、ペン体２１を傾動自在に支持するためのペン体支持部３０ｂが一体に形成されている。
ペン体支持部３０ｂは、上記した軸筒本体３０ｆの先端部を所要の長さ範囲に亙り、その軸筒３０よりも細径にして形成された本体３０ｃの先部（図示下部）に、一対の支持片３０ｄ，３０ｄをペン体２１の厚みよりもやや広い間隔に形成してなるものである。
支持片３０ｄ，３０ｄは所要厚みの略正方形の板状体であり、互いの対向する位置に円形の支持孔３０ｅ，３０ｅが形成されている。
【００８１】
前述した構成からなる筆記具Ｃは、ペン体２１を、筆記に伴い軸筒３０に加えられる力により、筆記部（下枠材）１５ｂ全体が筆記面Ｓに接触するように傾動自在に支持していることは、前述した筆記具Ａ，Ｂと同様である。
【００８２】
また、ペン体１２の筆記部（下枠材）１５ｂ全体を筆記面Ｓに接触させようとする力が生じるペン体２１の傾斜角度範囲が広くなるように、当該筆記部（下枠材）１５ｂとペン体２１の傾動中心Ｏ２との距離を設定していることは前述した筆記具と同様である。
【００８３】
ペン体支持部３０ｂ内には、嵌挿孔３３ａを形成した円筒形のインキ誘導部材３３が収容されており、嵌挿孔３３ａにペン体２１の基端側インキ誘導部２７が嵌挿されるようになっている。
【００８４】
このインキ誘導部材３３は、これに嵌挿された基端側インキ誘導部２７の傾斜を許容するように変形可能になっている。すなわち、本実施形態においては、基端側インキ誘導部２７とインキ誘導部材３３とにより、ペン体２１の傾斜角度を規制する傾斜角度規制機構Ｋ３を構成している。
【００８５】
軸筒３０内には、インキ室３０ａとペン体３１とを液密的に仕切る弁機構３４が設けられている。
弁機構３４は、仕切り部材３５、弁棒３６及びコイルスプリング３７を有して構成されている。
【００８６】
仕切り部材３５は、詳細を後述する弁棒３６の弁部３６ｂに当接して止栓できる内径の止栓孔３５ａを底部に形成した円筒形のものであり、これを、インキ室３０ａの先端部に配置することにより、そのインキ室３０ａの先端部にインキ溜まり３０ｇを区画形成している。
【００８７】
弁棒３６は、軸筒本体部３０ｆの長さよりやや短い本体３６ａの先端部に弁部３６ｂを膨出形成したものである。
コイルスプリング３７は、弁部３６ｂと軸筒３０のペン体支持部３０ａの辺縁面３０ｆとの間に介挿されており、弁部３６ｂによって止栓孔３５ａを閉じる方向に弁棒３６を常時付勢するようになっている。
【００８８】
弁棒３６の基端部至近位置にはフォロア３８が取り付けられている。
フォロア３８は、インキ室３０ａ内のインキの蒸発や逆流を防止するとともに、インキの消耗に伴って追随するグリース状のものであり、本実施形態においては、そのフォロア３８内にこれと同等の比重を有する樹脂製の栓体３９が設けられている。
【００８９】
本実施形態に係る筆記具Ｃの使用態様は、次のとおりである。
図６に示すキャップ３２をペン体支持部３０ｂから取り外して、図７に示すように尾栓３１に嵌装する。
その嵌装したキャップ３２を押下することにより、弁部３６ｂが止栓孔３５ａから離間するように弁棒３６が移動し、この移動により、インキ室３０ａ内のインキがインキ溜まり３０ｇに流入するとともにペン体２１に供給され、筆記ができるようになる。
【００９０】
次に、本発明の第４の実施形態に係る筆記具Ｄについて、図８を参照して説明する。図８は、本発明の第４の実施形態に係る筆記具Ｄの側断面図である。なお、本実施形態においても、前記した第１〜第３の実施形態に係る筆記具において説明したものと同等のものについては、同一の符号を付してそれらの詳細な説明を省略する。
【００９１】
本実施形態に係る筆記具Ｄは、インキ室４０ａを内部に形成した軸筒４０の先端部にペン体２１を配設し、かつ、その軸筒４０の基端部内側に尾栓４１を固定したものである。
【００９２】
軸筒４０は円筒形に形成された軸筒本体部４０ｆの先端部に、ペン体２１を傾動自在に支持するためのペン体支持部４０ｂを一体に形成しているとともに、その軸筒本体４０ｆの先端側の内径をやや細径にしているものである。
【００９３】
尾栓４１は、詳細を後記する軸筒４０の外径と同じ外径にした鍔部４１ａを、その軸筒４０の内径に一致する外径にした栓本体４１ｂの後端部に突出して形成したものであり、また、後端面４１ｃの中心には通気孔４１ｄが形成されている。
【００９４】
軸筒４０は略円筒形に形成されており、これの先端側の内径をやや細径にしている。この軸筒４０の先端部には、ペン体２１を傾動可能に支持するためのペン体支持部４０ｂが一体に形成されている。
【００９５】
ペン体支持部４０ｂは、上記した軸筒４０よりも細径にして形成された本体４０ｃの先端部（図示下部）に、一対の支持片４０ｄ，４０ｄをペン体２１の厚みよりやや広い間隔に形成してなるものである。
支持片４０ｄ，４０ｄは所要厚みにした略正方形の板状体であり、互いの対向する位置に円形の支持孔４０ｅ，４０ｅが形成されている。
【００９６】
前述した構成からなる筆記具Ｄは、ペン体２１を、筆記に伴い軸筒４０に加えられる力により、筆記部（下枠材）１５ｂ全体が筆記面Ｓに接触するように傾動自在に支持していることは、前述した筆記具Ａ，Ｂ，Ｃと同様である。
【００９７】
また、ペン体２１の筆記部（下枠材）１５ｂ全体を筆記面Ｓに接触させようとする力が生じるペン体２１の傾斜角度範囲が広くなるように、当該筆記部（下枠材）１５ｂとペン体２１の傾動中心Ｏ２との距離を設定していることは前述した筆記具と同様である。
本実施形態においては、ペン体２１の下枠材（筆記部）１５ｂの長さＬ２と、この下枠材（筆記部）１５ｂから傾動中心Ｏ２までの距離Ｈ１をほぼ同じにしているが、ペン体２１の傾動中心Ｏ２と筆記部１５ｂとの距離Ｈ１を、その筆記部１５ｂの長さＬ２よりも短く設定してよいことは勿論である。
【００９８】
本実施形態においては、ペン体２１の傾斜角度を規制する傾斜角度規制機構Ｋ４を、基端側インキ誘導部２７と、ペン体支持部４０ｂの本体４０ｃの内壁面４０ｆ，４０ｆにより構成している。すなわち、傾動したペン体２１が内壁面４０ｆ，４０ｆに当接することにより、そのペン体２１の傾斜角度が規制されるようになっている。
【００９９】
軸筒４０内には、インキ室４０ａとペン体２１とを液密的に仕切る弁機構４２が設けられている。
弁機構４２は、軸筒本体部４０ｆ内に配設された液蜜的に摺動可能な例えばシリコンゴム等の弾性材からなる栓体４４と、同じくシリコンゴム等の弾性材からなる弁体４５とからなる。
【０１００】
弁体４５は、後端部を太径にしかつ前端部内に中空部４５ａを形成した円筒形に形成されており、弾性変形可能なゴム等の弾性材から形成されている。
この弁体４５の前端部外周面に、全周にわたり環状の弁４５ｂが突出して形成され、また、その後端部には基端側４５ｄから前端側にインキを流通させるための流通溝４５ｃが形成されている。
【０１０１】
本実施形態に係る筆記具Ｄでは、筆記に伴う圧力変化によって弁４５ｂが僅かに変形して隙間が形成され、その隙間から流通溝４５ｃを通じてペン体２１にインキが供給されるようになっている。
【０１０２】
次に、本発明の第５の実施形態に係る筆記具Ｅについて、図９を参照して説明する。図９は、本発明の第５の実施形態に係る筆記具Ｅの側断面図である。
本実施形態に係る筆記具Ｅは、インキ室５０ａを内部に形成した軸筒５０の先端部に、これと別体に形成したペン体支持筒体５１を固定している。
【０１０３】
軸筒５０は基端面を閉じかつ先端面を開口するとともに、それの両端にわたり一定の内外径にした円筒形に形成されているものである。
【０１０４】
ペン体支持筒体５１は、コレクタ５２を基端側半部に形成するとともに、支持部５３を前側半部に形成したものである。
コレクタ５２は、円板形の複数の櫛歯体５２ａ…を、軸５２ｂの長手方向に沿い互いに所要の間隙を保持して積重形成してなる所謂断面櫛歯形の成形体であり、その軸５２ｂ内には断面円形のインキ流通孔５２ｃが貫通して形成されている。
【０１０５】
支持部５３は、軸筒５０の外径と同じ外径の鍔部５３ａを突出して形成した本体５３ｂの前部（図示下側半部）にペン体２１を傾動自在に支持する一対の支持片５３ｃ，５３ｃを、ペン体２１の厚みよりもやや広い間隔に形成してなるものである。
支持片５３ｃ，５３ｃは所要の厚みにした略正方形の板状体であり、互いの対向する位置に円形の支持孔５３ｄ，５３ｄが形成されている。
【０１０６】
前述した構成からなる筆記具Ｅは、ペン体２１を、筆記に伴い軸筒５０に加えられる力により、筆記部（下枠材）１５ｂ全体が筆記面Ｓに接触するように傾動自在に支持していることは、前述した筆記具Ａ，Ｂ，Ｃ，Ｄと同様である。
【０１０７】
また、ペン体２１の筆記部（下枠材）１５ｂ全体を筆記面Ｓに接触させようとする力が生じるペン体２１の傾斜角度範囲が広くなるように、当該筆記部（下枠材）１５ｂとペン体２１の傾動中心Ｏ２との距離を設定していることは前述した筆記具と同様である。
本実施形態においては、ペン体２１の下枠材（筆記部）１５ｂの長さＬ２と、この下枠材（筆記部）１５ｂから傾動中心Ｏ２までの距離Ｈ１をほぼ同じにしているが、ペン体２１の傾動中心Ｏ２と筆記部１５ｂとの距離Ｈ１を、その筆記部１５ｂの長さＬ２よりも短く設定してよいことは、前述した筆記具Ｂ，Ｃ，Ｄと同様である。
【０１０８】
上記したインキ流通孔５２ｃ内には、インク室５０ａ内のインキをペン体２１に誘導するためのインキ誘導芯５４が嵌挿されている。
インキ誘導芯５４は、本体５４ａの先端部に、インキ流通孔５２ｄの内径よりも大きな外径の鍔部５４ｂを形成したものである。その鍔部５４ｂを形成することにより、ペン体２１が傾動するときにも、基端側インキ誘導部２７が常時インキ誘導芯５４に接触しているようにしている。
【０１０９】
本実施形態に係る筆記具Ｅによれば、インキ室５０ａ内のインキがインキ誘導芯５４に接触しない場合にも、コレクタ５２に保留されているインキがインキ誘導芯５４に継続して補給されるようになる。
なお、本実施形態においては、支持部５３と、基端側インキ誘導部２７とにより、ペン体２１の傾斜角度を規制する傾斜角度規制機構Ｋ５を構成している。
【０１１０】
次に、ペン体の第１の変形例について、図１０〜１２を参照して説明する。図１０は、第１の変形例に係るペン体であり、（ａ）はその側面図、（ｂ）はその正面図、図１１は、そのペン体を支持するペン体支持筒体であり、（ａ）はその側面図、（ｂ）はその正面図、図１２は、それらペン体をペン体支持筒体に支持した状態を示しており、（ａ）はその側面図、（ｂ）はその正面図である。
【０１１１】
図１０，１２に示すペン体６０は、これの基端側半部（図示上側半部）に板状の基端側インキ誘導部６１を、また、先端側半部（図示下側半部）に先端側インキ誘導部６２を一体に形成したものであり、前述したペン体１２，２１と同等の材質からなるものである。
先端側インキ誘導部６２は、円柱形の本体６２ａの下端部を２つの傾斜面６２ｂ，６２ｂを所要の角度で交差させることにより筆記部６２ｃを形成したものであり、その本体６２ａの上側寄りに円筒形の支持孔６２ｄが貫通して形成されている。
【０１１２】
図１１，１２に示すように、ペン体支持筒体６３は、軸筒の嵌合部（図示しない）に嵌合する嵌合部６３ａが基端側半部（図示上側半部）に形成されかつ先端側半部（図示下側半部）に上記したペン体６０を傾動可能に支持するペン体支持部６３ｂが一体に形成されているものである。
【０１１３】
ペン体支持部６３ｂは、嵌合部６３ａの先端部（図示下部）に、一対の支持片６３ｃ，６３ｃをペン体６０の先端側インキ誘導部６２の外径よりやや広い間隔に形成しているとともに、これらの間に支持孔６２ｄに挿通される軸６３ｄを架設してなるものである。
【０１１４】
ペン体支持筒体６３にペン体６０を支持することにより、そのペン体６０は、筆記に伴い軸筒（図示しない）に加えられる力により、その筆記部６２ｃ全体が筆記面に接触するように傾動自在に支持される。
また、ペン体６０の筆記部６２ｃ全体を筆記面に接触させようとする力が生じるペン体６０の傾斜角度範囲が広くなるように、筆記部６２ｃとペン体６０の傾動中心Ｏ２との距離を設定している。
本変形例においては、ペン体６０の筆記部６２ｃの長さＬ２よりも、この筆記部６２ｃから傾動中心Ｏ２までの距離Ｈ１をやや狭くしている。
【０１１５】
次に、ペン体の第２の変形例について、図１３を参照して説明する。図１３は、第２の変形例に係るペン体の側面図である。
第２の変形例に係るペン体７０は、図示しない軸筒に固定される基端側インキ誘導部７１と、これに傾動中心Ｏ２を中心として傾動自在に取り付けられた筆記部７２との間に、当該筆記部７２を傾斜位置（ホ）に常時付勢する付勢部材７３を設けた構成になっている。
【０１１６】
筆記部７２は、前述した各ペン体と異なり、ペン体７０の傾動中心Ｏ２を、図示しない軸筒の中心軸線Ｏ３から離間して位置させている。
【０１１７】
基端側インキ誘導部７１は、これの先端側半部（図示下側半部）の本体７１ａと、これよりも幅狭に形成されかつ図示しないインキ吸蔵体に挿入する挿入部７１ｂとを一体に形成したものであり、前述したペン体１２，２１と同等の材質からなるものである。
【０１１８】
筆記部７２は、本体７１ａと同じ長さにした横長の直方体形のものであり、前述したペン体１２と同等の構成及び材質からなるものである。なお、基端側インキ誘導部７１から筆記部７２には、この筆記部７２の傾斜角度に関わらず、インキが良好に供給されるように接触している。また、基端側インキ誘導部７１と筆記部７２とを互い同じ材質のものにすることに限らず、異なる材質から形成してもよい。
付勢部材７３は、本例においてはコイルスプリング，板ばね等の所謂ばねの他、ゴム，スポンジ等の弾性体を採用することができる。
【０１１９】
次に、ペン体の第３の変形例について、図１４を参照して説明する。図１４は、第３の変形例に係るペン体の側面図である。なお、第３の変形例に係るペン体８０は、前述したペン体１２と、ペン体支持部材の構成のみが異なるので、ここでは、その相違点について説明し、その他同等の構成のものに同一の符号を付して説明を省略する。
【０１２０】
第３の変形例に係るペン体８０は、図１３に示すペン体６０と同じく、ペン体８０の傾動中心Ｏ２を、図示しない軸筒の中心軸線Ｏ３から離間して位置させている。なお、図１４は、図示しない軸筒の中心軸線Ｏ３とペン体６０の軸線Ｏ４とが一致している状態を示している。
【０１２１】
ペン体支持部材８１は合成樹脂製のものであり、基端側インキ誘導部１４及び先端側インキ誘導部１５の厚みとほぼ同じ厚みにした本体８１ａの両側面下側寄りであって、中心軸線Ｏ３から離間した位置に円柱形の軸８１ｂ，８１ｂが配設されており、この軸８１ｂ，８１ｂの軸心が傾動中心Ｏ２である。ペン体支持部材８１を合成樹脂で形成することにより、軸筒に取り付けるのに必要な強度を容易に保持させることができる。
【０１２２】
本体８１ａには、これの上側寄りに、軸８１ｂ，８１ｂを中心とした、規制部材である円弧形のガイド孔８１ｃが所要の角度範囲に形成されている。
ペン体支持部（図示しない）には、上記ガイド孔８１ｃに挿入される、規制部材である傾動規制ピン８２が突設されている。
【０１２３】
図示しないペン体支持筒体に支持されたペン体８０は、筆記に伴い軸筒（図示しない）に加えられる力により、その筆記部１５ｂ全体が筆記面Ｓに接触するように傾動する。
また、ペン体８０の筆記部１５ｂ全体を筆記面Ｓに接触させようとする力が生じるペン体８０の傾斜角度範囲が広くなるように、筆記部１５ｂとペン体８０の傾動中心Ｏ２との距離を設定している。
本変形例においては、ペン体８０の筆記部１５ｂの長さＬ２に対して、この筆記部１５ｂから傾動中心Ｏ２までの距離Ｈ１をほぼ半分にしている。
【０１２４】
この第３の変形例に係るペン体８０によれば、当該ペン体８０が軸８１ｂ，８１ｂの軸心、すなわち傾動中心Ｏ２を中心としてある程度傾動すると、傾動規制ピン８２が、ガイド孔８１ｃのいずれか一方の端部に当接して、当該ペン体８０の傾動が規制される。このようなガイド孔８１ｃと傾動規制ピン８２からなる傾斜角度規制機構Ｋ６を設けていることにより、ペン体８０の傾斜角度を任意の角度に確実に設定することができる。
【０１２５】
次に、ペン体の第４の変形例について、図１５を参照して説明する。図１５は、第４の変形例に係るペン体の側面図である。
第４の変形例に係るペン体９０は、一定の厚みの板状体にして形成されたペン体支持部材９１にインキ誘導部９２を囲繞形成したものであり、所謂蛍光ペンに使用されるものである。すなわち、上記した各ペン体と異なり、基端側インキ誘導部を形成していないものである。
【０１２６】
ペン体支持部材９１は、所要の厚みにした略五角形の本体９１ａの両側面に、円柱形の軸９１ｂ，９１ｂを同軸配置にしかつ軸９１ｂ，９１ｂの軸心、すなわち傾動中心Ｏ２を中心軸線Ｏ３に一致して形成されている。
このペン体支持部材９１は、本実施形態においては合成樹脂により形成することにより、図示しない軸筒に取り付けるのに必要な機械的な強度を保持させている。
【０１２７】
インキ誘導部９２は、ペン体支持部材９１を囲繞することにより、上枠材９２ａ，９２ｂと下枠材（筆記部）９２ｃとの両端部間に縦枠材９２ｄ，９２ｅを連結してなる側面視において略五角形の枠体である。
下枠材（筆記部）９２ｃは、軸線Ｏ４と所定の角度をもって傾斜して形成されており、その下枠材（筆記部）９２ｃが紙面等の筆記面Ｓに摺接する。
この下枠材（筆記部）９２ｃは、描線の幅に応じた長さＬ２にして形成されており、その長さＬ２を長短調整することにより、描線の幅を任意に設定できる。
【０１２８】
本変形例においては、Ｌ２を５（ｍｍ）、傾動中心Ｏ２である軸９１ｂ（９１ｂ）の軸心から通り下枠材（筆記部）９２ｂまでの距離Ｈ１を３（ｍｍ）としているが、これらの数値に限定する趣旨ではなく、例えば長さＬ２：距離Ｈ１を、ほぼ５：３の比率にしてもよい。このような比率にすることにより、必要な傾斜角度範囲を確保できる。
【０１２９】
上述したインキ誘導部９２は、スポンジ等の高分子発泡体で形成されているが、この他、浸透印等に用いられる多孔質のゴム体，不織布，フェルト，繊維束を樹脂で固めたもので形成することができることは上述したとおりである。
【０１３０】
次に、ペン体の第５の変形例について、図１６を参照して説明する。図１６は、第５の変形例に係るペン体の側面図である。
第５の変形例に係るペン体１００は、一定の厚みにして形成したペン体支持部材１０１にインキ誘導部１０２を囲繞形成したものであり、例えば極太のポスターカラーに使用されるものである。すなわち、上記した第４の変形例に係るペン体９０と同じく、基端側インキ誘導部を形成していないものである。
【０１３１】
ペン体支持部材１０１は、所要の厚みにした略五角形の本体１０１ａの両側面に、円柱形の軸１０１ｂ，１０１ｂを一軸線上に形成されており、本実施形態においては合成樹脂製のものである。これにより、図示しない軸筒に取り付けるのに必要な機械的な強度を容易に保持させやすい。軸１０１ｂ，１０１ｂの軸心が、傾動中心Ｏ２である。
【０１３２】
インキ誘導部１０２は、ペン体支持部材１０１を囲繞することにより、上枠材１０２ａ，１０２ｂと下枠材（筆記部）１０２ｃとの両端部間に縦枠材１０２ｄ，１０２ｅを連結してなる側面視において略五角形の枠体である。
【０１３３】
下枠材（筆記部）１０２ｃは、側面視において、軸線Ｏ４と直交して形成されており、その下枠材（筆記部）１０２ｃが紙面等の筆記面Ｓに摺接する。
この下枠材（筆記部）１０２ｃは、描線の幅に応じた長さＬ２にして形成されており、その長さＬ２を長短調整することにより、描線の幅を任意に設定できる。本例においては、長さＬ２を２０（ｍｍ）、軸１０１ｂ（１０１ｂ）から下枠材（筆記部）１０２ｃまでの距離Ｈ１を１５（ｍｍ）としている。
なお、本例においては、長さＬ２と距離Ｈ１との比率、すなわち長さＬ２：距離Ｈ１を４：３の比率としている。
【０１３４】
上述した筆記部１０２は、スポンジ等の高分子発泡体で形成されているが、この他、浸透印等に用いられる多孔質のゴム体，不織布，フェルト，繊維束を樹脂で固めたもので形成することができることも上記と同様である。
【０１３５】
インキ吸蔵体の変形例について、図１７を参照して説明する。図１７は、図２に示すインキ吸蔵体の第１の変形例を示しており、（ａ）はその正面図、（ｂ）はその下面図、図１８は、図１７に示す第１の変形例に係るインキ吸蔵体のＩＩＩ‐ＩＩＩに沿う断面図である。
【０１３６】
第１の変形例に係るインキ吸蔵体１１０は、一定の外径にした円柱形の中綿１１１の外周面に、フィルム様の外装材１１２を嵌装してなるものであり、前記した尾栓１３の至近位置からペン体支持部１１ａの至近位置に至る長さに形成されている。
【０１３７】
ペン体１２を挿入した中綿１１１の先端部１１１ａには、そのペン体１２のインキ誘導部１４の傾動を許容する傾動許容溝１１３が形成されている。
傾動許容溝１１３は、その幅ｗをペン体１２の厚みｔにほぼ一致させた断面長方形にし、かつ、中綿１１１の外周面に両開口１１３ａ，１１３ａが臨むように、中綿１１１の中心軸線Ｏ３を通る直径線に一致させて形成されている。なお、中綿１１１の中心軸線は、図示しない軸筒の中心軸線でもある。
【０１３８】
「ほぼ一致させた」とは、幅ｗとペン体の厚みｔとが一致している場合、幅ｗがペン体の厚みｔよりも広い場合、及び幅ｗがペン体の厚みｔよりも狭い場合のいずれであってもよく、いずれにしても、ペン体１２の傾動を円滑に行える程度の幅にしていればよい。
従って、傾動許容溝としては断面長方形に形成することに限るものではなく、例えばたんなる切込みであってもよい。このような傾動許容溝を設けることにより、ペン体１２の傾動を円滑に行わせることができるようになる。
【０１３９】
外装材１１２の先端部１１２ａには、傾動許容溝１１３の開口１１３ａ，１１３ａに対向しかつそれら開口１１３ａ，１１３ａと同形同大の切欠き部１１４，１１４が形成されている。このような切欠き部１１４，１１４を形成することにより、インキ誘導部１４が、中綿１１１の傾動許容溝１１３の開口１１３ａ，１１３ａを超えて傾動することを許容でき、ペン体１２の傾動角度範囲を広げることができる。
【０１４０】
第５の実施形態に係る筆記具について、図１９〜図２４を参照して説明する。図１９は、第５の実施形態に係る筆記具の側断面図、図２０（ａ）は、インキ吸蔵体の第２の変形例を示す側断面図であり、（ａ）はその側面図、（ｂ）はその下面図、図２１は、図２０に示すＩＶ‐ＩＶ線に沿う断面図、図２２は、図２０に示すＶ‐Ｖ線に沿う断面図、図２３は、図２０に示すＶＩ‐ＶＩ線に沿う断面図、図２４は、図２０に示すＶＩＩ‐ＶＩＩ線に沿う断面図である。
【０１４１】
第５の実施形態に係る筆記具Ａ′は、図２に示す筆記具Ａと基本構造が同じものであるが、軸筒とインキ吸蔵体とを位置決めする位置決め機構が設けられている点が相違している。そこで、第１の実施形態に係る筆記具Ａにおいて説明したものと同等のものに同一の符号を付してその詳細な説明を省略し、本実施形態においては、主に位置決め機構について説明する。
【０１４２】
第２の変形例に係るインキ吸蔵体１２０は、一定の外径にした円柱形の中綿１２１の外周面に、所要厚みの外装材１２２を嵌装してなるものであり、前記した尾栓１３の至近位置からペン体支持部１１ａの至近位置に至る長さに形成されている。
【０１４３】
ペン体１２を挿入した中綿１２１の先端部１２１ａには、そのペン体１２のインキ誘導部１４の傾動を許容する傾動許容溝１２３が形成されている。
傾動許容溝１２３は、その幅ｗをペン体１２の厚みｔにほぼ一致させた断面長方形にし、かつ、中綿１５１の外周面に両開口１２３ａ，１２３ａが臨むように、中綿１２１の中心軸線Ｏ３を通る直径線に一致させて形成している。
【０１４４】
外装材１２２の外周面には断面方形のリブ１２２ａ，１２２ａが、中心軸線Ｏ４を通る直径線に一致させかつ傾動許容溝１２３と直交して配置されている。
リブ１２２ａ，１２２ａは、本実施形態においては全長にわたり連続して形成しているものについて示しているが、必ずしも連続して形成する必要はなく、例えば一定の間隔で断続的に形成してもよく、また、上端部及び下端部、若しくは上端部又は下端部、さらには、中間部だけにリブを形成した構成にしてもよい。
【０１４５】
軸筒本体１１ｅの内周面には、この軸筒本体１１ｅの中心軸線Ｏ３を通る直径線に一致して、リブ嵌合溝１２４，１２４が形成されている。
リブ嵌合溝１２４，１２４は、リブ１２２ａ，１２２ａを嵌合できる断面コ字形にして形成されており、上記リブ１２２ａ，１２２ａの長さとほぼ同じ長さにして形成されている。すなわち、リブ１２２ａ，１２２ａと、リブ嵌合溝１２４，１２４との接触面積が大きくなるようにして、リブや溝にかかる単位長さあたりの力を低下させ、これにより、当該リブや溝を細くまた小さくできるようにし、これらリブや溝を形成した場合にも軸筒の外径が太くならないようにしている。
【０１４６】
本実施形態における位置決め機構１２５は、上記したリブ嵌合溝１２４，１２４と、リブ１２２ａ，１２２ａとからなる。
【０１４７】
以上の構成からなる位置決め機構１２５を設けたことにより、軸筒１１にインキ吸蔵体１２０を装着するときに、軸筒１１に対するインキ吸蔵体１２０の相対的な向きを常に一定にすることができる。
すなわち、位置決め機構１２５により、軸筒１１にインキ吸蔵体１２０を挿入するだけで、インキ吸蔵体１２０に形成した傾動許容溝１２３を、ペン体１２の傾動方向に一致させることができる。従って、軸筒１１に対してインキ吸蔵体１２０を位置合わせする必要がない。
【０１４８】
次に、第６の実施形態に係る筆記具について、図２５〜図２８を参照して説明する。図２５は、第６の実施形態に係る筆記具の側面図、図２６は、第６の実施形態に係る筆記具の断面図、図２７は、第６の実施形態に係る筆記具のキャップを外した状態の断面図、図２８は、図２６に包囲線ＩＸで示す部分の拡大詳細図である。
【０１４９】
第６の実施形態に係る筆記具１３０は、インキ吸蔵体１３１を収容した筆記具本体（以下「軸筒」という。）１３２の先端部にペン体１３３を、かつ、その軸筒１３２の後端部にペン体１３４をそれぞれ配した構成のものである。なお、１３５は軸筒１３２の先端部に装着するキャップ、１３６は、軸筒１３２の後端部に装着するキャップである。
【０１５０】
軸筒１３２は、軸筒本体１３７と、これの先端部に嵌合したペン体支持筒体１３８とからなる。
軸筒本体１３７は、先端面から後端部にかけてほぼ同じ外径にして形成されているとともに、その後端部の所要の長さ範囲を細径にしてキャップ嵌装部１３７ａを形成している。
【０１５１】
ペン体支持筒体１３８は、軸筒本体１３７の先端部内に嵌挿固定するための嵌挿部１３８ａ、軸筒本体１３７と同外径にした鍔部１３８ｂ、及び先端部に支持部１３８ｃを形成しかつキャップ１３５を嵌装するためのやや細径にしたキャップ嵌装部１３８ｄを一体に成形してなるものである。
【０１５２】
支持部１３８ｃは、先端部にペン体支持孔１３８ｆ，１３８ｆを形成した一対の支持片１３８ｅ，１３８ｅからなる。
【０１５３】
ペン体１３３は、筆記に伴い軸筒１３２に加えられる力により、後記する筆記部（下枠材）１３３ｃ全体が筆記面Ｓに接触するように傾動自在に支持されており、その構成は次の通りである。
【０１５４】
図２７に示すように、ペン体１３３は、正面視において一定の厚みｔにして形成されており、また、図２８に示すように、後述するペン体支持部材１４０に巻回嵌装できる枠形にした先端側インキ誘導部１３３ａの後端に基端側インキ誘導部１３３ｂを一体に形成したものである。
【０１５５】
基端側インキ誘導部１３３ｂは、中心軸線Ｏ４を中心としかつインキ吸蔵体１３１の先端部内に挿入できる長さにした円柱形に形成されている。
この基端側インキ誘導部１３３ｂをインキ吸蔵体１３１の先端部内に挿入していることにより、前記したインキ吸蔵体１３１に吸蔵されているインキを先端側インキ誘導部１３３ａに誘導できるようにしているとともに、ペン体１３４の傾斜角度を規制するようになっている。
本実施形態においては、ペン体１３３の傾斜角度を規制する傾斜角度規制機構を、基端側インキ誘導部１３３ｂをインキ吸蔵体１３１の先端部内に挿入することにより構成している。
【０１５６】
先端側インキ誘導部１３３ａは、互いに離間して配置された下枠材１３３ｃの両端部に側面視において略く字形の縦枠材１３３ｄ，１３３ｅを連結しているとともに、それら縦枠材１３３ｄ，１３３ｅの後端部間に上枠材１３３ｆを連結してなる異形の略六角形の枠体であり、この枠体内に、ペン体支持部材１４０を嵌合している。
図２８に示すように、先端側インキ誘導部１３３ａは、これの後端半部が１３８ｄ内に挿入されており、この状態でペン体１３３の傾動角度範囲を広くできるように、その先端側インキ誘導部１３３ａの中央部１３３ｇ，１３３ｇから基端側インキ誘導部１３３ｂの基部１３３ｈ，１３３ｈにかけて次第に細くなるテーパ形にしている。
【０１５７】
本実施形態においては下枠材１３３ｃが筆記部であり、この筆記部１３３ｃは、図２８に示すように、側面視において、中心軸線Ｏ４を筆記面Ｓに直交させたとき、その紙面Ｓと所定の角度βとなるように傾斜して形成されている。
下枠材（筆記部）１３３ｃは、描線の幅に応じた長さＬ２にして形成されており、その長さＬ２を長短調整することにより、描線の幅を任意に設定できる。
【０１５８】
上述した基端側インキ誘導部１３３ｂと、下枠材（筆記部）１３３ｃを含む先端側インキ誘導部１３３ａは、スポンジ等の高分子発泡体で形成されているが、この他、浸透印等に用いられる多孔質のゴム体，不織布，フェルト，繊維束を樹脂で固化したもので形成することができることは、前述したとおりである。
【０１５９】
ペン体支持部材１４０は、ペン体１３３の厚みとほぼ同じ幅のペン体嵌合溝１４０ａを周囲に形成した、上記ペン体１３３の先端側インキ誘導部１３３ａと同じ輪郭にして形成した六角形のものである。
ペン体支持部材１４０の両側面には、円柱形の軸１４０ｂ，１４０ｂの軸心、すなわち、傾動中心Ｏ２が中心軸線Ｏ４と側面視において一致して形成されている。
このペン体支持部材１４０は、本実施形態において合成樹脂で形成していることにより、ペン体支持筒体１３８に取り付けるのに必要な機械的な強度を保持させている。
なお、ペン体支持部材１４０は、高分子発泡体、多孔質のゴム体等の多孔質部材及び合成樹脂により形成することに限るものではなく、例えば金属，ガラス，セラミック等の材料で形成してもよいことは、前述したものと同様である。
【０１６０】
ペン体支持部材１４０の軸１４０ｂ，１４０ｂは、これらを下枠材（筆記部）１３３ｃの至近位置に配設しているので、ペン体１３３の傾斜角度を大きくすることができる。
すなわち、前述したように、傾動中心Ｏ２に生じる、筆記部１５ｂを筆記面Ｓに接触させようとする力が、軸線Ｏ２と下枠材（筆記部）１３３ｃの両端とを通る２本の直線Ｍ１，Ｍ２で区画される角度範囲内にあるときに、そのペン体１３３の下枠材（筆記部）１３３ｃ全体を筆記面Ｓ（図２８には示していない）に接触させようとする力が生じるのであり、その角度は、下枠材（筆記部）１３３ｃと傾動中心Ｏ２との距離Ｈ１が遠ざかるのに比例して狭くなる。
【０１６１】
本実施形態においては、下枠材（筆記部）１３３ｃの長さＬ２、この下枠材（筆記部）１３３ｃから傾動中心Ｏ２までの距離Ｈ１としたとき、Ｈ１／Ｌ２が約「１／３」以下の比率となるようにしている。
なお、「約」とは、例えばペン体１３３を形成している材質の変形等の範囲を含むものであり、従って、それら材質等に従って変動した値を含んでいる。
【０１６２】
上述した基端側，先端側インキ誘導部は、スポンジ等の高分子発泡体で形成されており、この他に、浸透印等に用いられる多孔質のゴム体，不織布，フェルト，繊維束を樹脂で固めたもので形成することができることについて説明したが、例えば金属，セラミック，高分子の焼結体等の多孔質部材から構成することができる。このような多孔質部材によりペン体１３３を形成した場合、嵌着，接着剤による接着，溶着等によりペン体支持部材１４０のペン体嵌合溝１４０ａに被着するとよい。
【０１６３】
なお、本発明は前述した実施形態に限るものではなく、次のような変形実施が可能である。
前述した各実施形態においては、ペン体又は筆記部を傾動自在に軸支した例について説明したが、必ずしも軸支する必要はなく、例えばインキ誘導部材等に基端側インキ誘導部を弾性的に傾動自在に支持しただけの構成にしてもよい。要するに、ペン体が、筆記に伴い軸筒に加えられる力により、その筆記部全体が筆記面に接触するように傾動自在に支持された構成になっていればよいのである。
【０１６４】
上記した第４，第５の変形例に係るペン体の説明においては、傾斜角度規制機構について言及してはいないが、ペン体支持部材９１，１０１に、図１４において説明したものと同等の傾斜角度規制機構Ｋ６を設けることにより、それらペン体９０，１００の傾斜角度を規制できる。
【０１６５】
上記の実施形態においては、位置決め機構として、インキ吸蔵体に突設されたリブと、そのリブと嵌合する軸筒内に形成されたリブ嵌合溝とを２つずつ形成した例について説明したが、１つ又は３つ以上形成してもよい。
【図面の簡単な説明】
【０１６６】
【図１】本発明の第１の実施形態に係る筆記具の正面図である。
【図２】同上の筆記具の側断面図である。
【図３】ペン体を拡大して示しており、（ａ）はその正面図、（ｂ）はその側面図である。
【図４】ペン体を傾斜させた状態を示す拡大側面図であり、（ａ）はペン体を一方に傾斜させた状態、（ｂ）はそのペン体を他方に傾斜させた状態を示している。
【図５】本発明の第２の実施形態に係る筆記具の側断面図である。
【図６】本発明の第３の実施形態に係る筆記具の側断面図であり、弁棒をペン体から離間させた状態を示している。
【図７】本発明の第３の実施形態に係る筆記具の側断面図であり、弁棒をペン体に接触させた状態を示している。
【図８】本発明の第４の実施形態に係る筆記具の側断面図である。
【図９】本発明の第５の実施形態に係る筆記具の側断面図である。
【図１０】第１の変形例に係るペン体であり、（ａ）はその側面図、（ｂ）はその正面図である。
【図１１】第１の変形例に係るペン体を支持するペン体支持部材であり、（ａ）はその側面図、（ｂ）はその正面図である。
【図１２】第１の変形例に係るペン体をペン体支持部材に支持した状態を示しており、（ａ）はその側面図、（ｂ）はその正面図である。
【図１３】第２の変形例に係るペン体の側面図である。
【図１４】第３の変形例に係るペン体の側面図である。
【図１５】第４の変形例に係るペン体の側面図である。
【図１６】第５の変形例に係るペン体の側面図である。
【図１７】図２に示すインキ吸蔵体の第１の変形例を示しており、（ａ）はその正面図、（ｂ）はその下面図である。
【図１８】図１７に示す第１の変形例に係るインキ吸蔵体のＩＩＩ‐ＩＩＩに沿う断面図である。
【図１９】第５の実施形態に係る筆記具の側断面図である。
【図２０】図２に示すインキ吸蔵体の第２の変形例を示す側断面図であり、（ａ）はその側面図、（ｂ）はその下面図である。
【図２１】図１９に示すＩＶ‐ＩＶ線に沿う断面図である。
【図２２】図１９に示すＶ‐Ｖ線に沿う断面図である。
【図２３】図１９に示すＶＩ‐ＶＩ線に沿う断面図である。
【図２４】図１９に示すＶＩＩ‐ＶＩＩ線に沿う断面図である。
【図２５】第６の実施形態に係る筆記具の正面図である。
【図２６】第６の実施形態に係る筆記具の断面図である。
【図２７】キャップを外した状態の断面図である。
【図２８】図２６に包囲線ＩＸで示す部分の拡大詳細図である。
【図２９】（ａ），（ｂ），（ｃ）は、従来の筆記具によって紙面に筆記する場合の説明図である。
【図３０】（ａ），（ｂ）は、従来の筆記具によってホワイトボードに筆記する場合の説明図である。
【図３１】（ａ），（ｂ）は、従来の筆記具によってホワイトボードに筆記する場合の説明図である。
【図３２】一例に係る従来の筆記具の要部拡大図である。
【符号の説明】
【０１６７】
１１，２０，３０，４０，５０              軸筒
１２，２１                                ペン体
１４，２７，６１                          基端側インキ誘導部（インキ誘導部）
１５，６２                                先端側インキ誘導部（インキ誘導部）
１５ａ                                    上枠材
１５ｂ                                    下枠材（筆記部）
１５ｃ，１５ｄ                            縦枠材
１６，８１，９１，１０１，１４０          ペン体支持部材
６２ｃ，７２，９２ｃ，１０２ｃ，１３３ｃ  筆記部
７３                                      付勢部材
８１ｃ                                    ガイド孔（規制部材）
８２                                      傾動規制ピン（規制部材）
Ｋ１〜Ｋ６                                傾斜角度規制機構
Ｓ                                        筆記面
【図１】
0004641789.tif 000002
【図２】
0004641789.tif 000003
【図３】
0004641789.tif 000004
【図４】
0004641789.tif 000005
【図５】
0004641789.tif 000006
【図６】
0004641789.tif 000007
【図７】
0004641789.tif 000008
【図８】
0004641789.tif 000009
【図９】
0004641789.tif 000010
【図１０】
0004641789.tif 000011
【図１１】
0004641789.tif 000012
【図１２】
0004641789.tif 000013
【図１３】
0004641789.tif 000014
【図１４】
0004641789.tif 000015
【図１５】
0004641789.tif 000016
【図１６】
0004641789.tif 000017
【図１７】
0004641789.tif 000018
【図１８】
0004641789.tif 000019
【図１９】
0004641789.tif 000020
【図２０】
0004641789.tif 000021
【図２１】
0004641789.tif 000022
【図２２】
0004641789.tif 000023
【図２３】
0004641789.tif 000024
【図２４】
0004641789.tif 000025
【図２５】
0004641789.tif 000026
【図２６】
0004641789.tif 000027
【図２７】
0004641789.tif 000028
【図２８】
0004641789.tif 000029
【図２９】
0004641789.tif 000030
【図３０】
0004641789.tif 000031
【図３１】
0004641789.tif 000032
【図３２】
0004641789.tif 000033